(57)【要約】【課題】マルチホーム接続のための機能をルータのみに実装することによって、極めて低コストで、マルチホーム接続環境における経路切替方法等を提供する。【解決手段】マルチホームルータは、第１のアクセスネットワーク又は第２のアクセスネットワークと、ローカルネットワークとの間で、データパケットの経路を制御する経路制御手段と、第１のアクセスネットワークから取得した第１のアドレス群と、第２のアクセスネットワークから取得した第２のアドレス群とを保持するアドレスプール手段と、前記アクセスネットワークを切り替える際に、前記ローカルネットワークに接続された前記ホスト端末へ、ＤＨＣＰ(Dynamic Host Configuration Protocol)における再設定(RECONFIGURE)メッセージを送信する再設定送信手段とを有する。【選択図】図２
2011120083.tif 000002
【特許請求の範囲】
【請求項１】
第１のアクセスネットワークに接続する第１のＷＡＮ(Wide Area Network)インタフェースと、第２のアクセスネットワークに接続する第２のＷＡＮインタフェースと、複数のホスト端末が接続されたローカルネットワークに接続するＬＡＮ(Local Area Network)インタフェースとを有するマルチホーム用のルータにおいて、
第１のアクセスネットワーク又は第２のアクセスネットワークと、前記ローカルネットワークとの間で、データパケットの経路を制御する経路制御手段と、
第１のアクセスネットワークから取得した第１のアドレス群と、第２のアクセスネットワークから取得した第２のアドレス群とを保持するアドレスプール手段と、
前記アクセスネットワークを切り替える際に、前記ローカルネットワークに接続された前記ホスト端末へ、ＤＨＣＰ(Dynamic Host Configuration Protocol)における再設定(RECONFIGURE)メッセージを送信する再設定送信手段と
を有することを特徴とするルータ。
【請求項２】
前記ホスト端末から前記ＬＡＮインタフェースを介して、要求(REQUEST)メッセージを受信する要求受信手段と、
前記ホスト端末へ前記ＬＡＮインタフェースを介して、前記アドレスプール手段に記憶された切替先となるアクセスネットワークから取得したアドレスを含む応答(REPLY)メッセージを返信する応答送信手段と
を有し、
前記経路制御手段は、切替先のアドレスを確定することを特徴とする請求項１に記載のルータ。
【請求項３】
前記経路制御手段におけるプロトコルは、ＢＧＰ(Border Gateway Protocol)であり、
複数のアクセスネットワークにおけるdefault-routeは、ＬＰ(Local-Preference)値によって決定されており、
前記アクセスネットワーク毎のＬＰ値の中で、最大のＬＰ値のアクセスネットワークの変更を検出し、前記再設定送信手段へ指示する切替トリガ検出手段を更に有することを特徴とする請求項１又は２に記載のルータ。
【請求項４】
前記経路制御手段は、複数のアクセスネットワークについて物理的又はプロトコル的な通信品質状態を検出しており、
前記経路制御手段の前記通信品質状態によって障害の発生を検出し、前記再設定送信手段へ指示する切替トリガ検出手段を更に有することを特徴とする請求項１又は２に記載のルータ。
【請求項５】
前記アドレスは、ＩＰｖ６アドレスであって、前記アクセスネットワークを運用するインターネットサービスプロバイダ設備から割り当てられたものであり、
前記経路制御手段は、ＩＰｖ６パケットの経路を制御する
ことを特徴とする請求項１から４のいずれか１項に記載のルータ。
【請求項６】
第１のアクセスネットワークに接続する第１のＷＡＮインタフェースと、第２のアクセスネットワークに接続する第２のＷＡＮインタフェースと、複数のホスト端末が接続されたローカルネットワークに接続するＬＡＮインタフェースとを有するマルチホーム用のルータに搭載されたコンピュータを機能させるプログラムにおいて、
第１のアクセスネットワーク又は第２のアクセスネットワークと、前記ローカルネットワークとの間で、データパケットの経路を制御する経路制御手段と、
第１のアクセスネットワークから取得した第１のアドレス群と、第２のアクセスネットワークから取得した第２のアドレス群とを保持するアドレスプール手段と、
前記アクセスネットワークを切り替える際に、前記ローカルネットワークに接続された前記ホスト端末へ、ＤＨＣＰにおける再設定(RECONFIGURE)メッセージを送信する再設定送信手段と
してコンピュータを機能させることを特徴とするルータ用のプログラム。
【請求項７】
第１のアクセスネットワークと、第２のアクセスネットワークと、ローカルネットワークと、当該ローカルネットワークに接続されるホスト端末と、複数のアクセスネットワーク及び前記ローカルネットワークに相互接続されるルータとを有するシステムにおけるマルチホーム接続方法において、
前記ルータが、第１のアクセスネットワークから第１のアドレス群を取得すると共に、第２のアクセスネットワークから第２のアドレス群を取得する第１のステップと、
前記ルータが、第１のアクセスネットワーク又は第２のアクセスネットワークのいずれか一方と、前記ローカルネットワークとの間で、データパケットの経路を制御する第２のステップと、
前記ルータが、前記アクセスネットワークを切り替える際に、前記ローカルネットワークに接続された前記ホスト端末へ、ＤＨＣＰにおける再設定(RECONFIGURE)メッセージを送信する第３のステップと
を有することを特徴とするマルチホーム接続方法。
【発明の詳細な説明】
【技術分野】
【０００１】
本発明は、複数のアクセスネットワークに接続するマルチホーム接続環境について、アクセスネットワークの経路を切り替える技術に関する。
【背景技術】
【０００２】
インターネットプロトコルとして、一般的に、ＩＰｖ４(Internet Protocol Version 4)が用いられている。しかしながら、３２ビットのアドレス空間を有するＩＰｖ４には、アドレス資源の枯渇という問題がある。この問題を解決するために、ＮＡＴ(Network Address Translation)機能を備えたブロードバンドルータがある。ＮＡＴとは、ＬＡＮ(Local Area Network)で使用する複数のプライベート・アドレスと、ＷＡＮ(Wide Area Network)で使用する１つのグローバル・アドレスとを変換する技術である。ＬＡＮに接続されるブロードバンド・ルータにＮＡＴ機能を搭載するだけで、ＩＰｖ４のアドレスの消費量を少なからず抑えることができる。
【０００３】
また、インターネットサービスプロバイダ（Internet Service Provider、以下「ＩＳＰ」という）のアクセスネットワークに、大容量ＮＡＴ装置を備える「キャリアグレードＮＡＴ」という技術もある。この技術によれば、ＩＳＰが、一部のグローバル・アドレスと、顧客に割り当てるプライベート・アドレスと変換する。しかしながら、ＮＡＴ装置は、１０Ｇビット／秒程度の高速なネットワークに備える必要があり、高速性が極めて必要となる。
【０００４】
これに対して、以前から、１２８ビットのアドレス空間を有するＩＰｖ６(Internet Protocol Version 6)がある。近年、ＩＰｖ４のアドレス資源の枯渇問題から、ＩＰｖ６を用いた接続サービスが急速に普及しつつある。ＩＰｖ６によれば、ＮＡＴを必要とすることなく、インターネットに対するグローバル・アドレスを、ＬＡＮに接続された各ホスト端末に割り当てることができる。
【０００５】
また、インターネットに対する接続サービスにおける耐故障性を高めるために、複数のアクセスネットワークに接続する「マルチホーム接続」という技術がある。マルチホーム接続とは、ＬＡＮに接続されたブロードバンド・ルータを、２つ以上のＩＳＰのアクセスネットワークに接続する技術である。この技術によれば、一方のアクセスネットワークの故障に対して、他方のアクセスネットワークへ切り替えることができ、ネットワークの耐故障性を高めることができる。このルータは、少なくとも２つのＷＡＮインタフェース部と、少なくとも１つのＬＡＮインタフェース部とを有する。
【０００６】
ＩＰｖ６によれば、複数のＩＳＰで使用可能であって、ＩＳＰに非依存なＰＩアドレス(Provider Independent Address)がある。これによって、複数のアクセスネットワークに、１つのＰＩアドレスでアクセスすることができ、マルチホーム接続を実現することができる。しかしながら、ＰＩアドレスを運用するためには、経路制御のためのＢＧＰ(Border Gateway Protocol)のＡＳ(Autonomous System)番号も管理する必要があり、極めて高いコストを要する。そのために、マルチホーム接続を実現するには、一般的に、ＬＡＮに接続されたホスト端末が、ＩＳＰ毎に、ＩＰアドレスを取得する必要がある。ホスト端末は、アクセスネットワークを切り替える毎に、そのＩＰｖ６アドレスを切り替える必要がある。
【０００７】
従来、マルチホーム接続のためのマルチホーミング接続装置の技術がある（例えば特許文献１参照）。この技術によれば、マルチホーミング接続装置は、アクセスネットワーク毎に割り当てられたＩＰｖ６アドレスを、ポリシテーブルとしてホスト端末へ予め配布する。そして、アクセスネットワークとホームネットワークとの間に設置されたルータは、アクセスネットワークの回線品質状態に基づいた制御メッセージを、ホスト端末へ送信する。ホスト端末は、送信元アドレスとして、ポリシテーブルに含まれるＩＰｖ６アドレスを切り替えることによって、マルチホーミング接続装置を介して、異なるアクセスネットワークへＩＰｖ６パケットを送信することができる。
【先行技術文献】
【特許文献】
【０００８】
【特許文献１】特開２００４−２７４１２９号公報
【発明の概要】
【発明が解決しようとする課題】
【０００９】
しかしながら、特許文献１に記載された技術によれば、ホスト端末は、マルチホーミング接続装置から配布されたポリシテーブルを保持する必要がある。また、ホスト端末は、そのポリシテーブルに含まれるＩＳＰから割り当てられたＩＰｖ６アドレスを、ルータからの制御メッセージによって切り替える必要がある。ホスト端末が、このような制御を実行するには、種々のＯＳ(Operating System)に対応したアプリケーションソフトウェアをインストールする必要がある。また、ホームネットワーク内に多数のホスト端末が存在する場合、ホスト端末によってマルチホーミングの接続制御を実現する場合、その維持・管理のためのコストが増加することとなる。更に、アクセスネットワークとホームネットワークとの間に接続されるルータも、マルチホーム接続の切り替えのための経路テーブル（ラベル）に基づくプロトコルを実装する必要があり、更にコストを増加させる要因となる。即ち、この技術によれば、マルチホーミング接続装置と、ホスト端末と、ルータとにおけるクライアント側の全ての装置に、新しい機能を実装する必要があった。
【００１０】
そこで、本発明は、マルチホーム接続のための機能をルータのみに実装することによって、極めて低コストで、マルチホーム接続環境における経路切替方法、ルータ及びプログラムを提供することを目的とする。
【課題を解決するための手段】
【００１１】
本発明によれば、第１のアクセスネットワークに接続する第１のＷＡＮインタフェースと、第２のアクセスネットワークに接続する第２のＷＡＮインタフェースと、複数のホスト端末が接続されたローカルネットワークに接続するＬＡＮインタフェースとを有するマルチホーム用のルータにおいて、
第１のアクセスネットワーク又は第２のアクセスネットワークと、ローカルネットワークとの間で、データパケットの経路を制御する経路制御手段と、
第１のアクセスネットワークから取得した第１のアドレス群と、第２のアクセスネットワークから取得した第２のアドレス群とを保持するアドレスプール手段と、
アクセスネットワークを切り替える際に、ローカルネットワークに接続されたホスト端末へ、ＤＨＣＰ(Dynamic Host Configuration Protocol)における再設定(RECONFIGURE)メッセージを送信する再設定送信手段と
を有することを特徴とする。
【００１２】
本発明のルータにおける他の実施形態によれば、
ホスト端末からＬＡＮインタフェースを介して、要求(REQUEST)メッセージを受信する要求受信手段と、
ホスト端末へＬＡＮインタフェースを介して、アドレスプール手段に記憶された切替先となるアクセスネットワークから取得したアドレスを含む応答(REPLY)メッセージを返信する応答送信手段とを有し、
経路制御手段は、切替先のアドレスを確定することも好ましい。
【００１３】
本発明のルータにおける他の実施形態によれば、
経路制御手段におけるプロトコルは、ＢＧＰ(Border Gateway Protocol)であり、
複数のアクセスネットワークにおけるdefault-routeは、ＬＰ(Local-Preference)値によって決定されており、
アクセスネットワーク毎のＬＰ値の中で、最大のＬＰ値のアクセスネットワークの変更を検出し、再設定送信手段へ指示する切替トリガ検出手段を更に有することも好ましい。
【００１４】
本発明のルータにおける他の実施形態によれば、
経路制御手段は、複数のアクセスネットワークについて物理的又はプロトコル的な通信品質状態を検出しており、
経路制御手段の通信品質状態によって障害の発生を検出し、再設定送信手段へ指示する切替トリガ検出手段を更に有することも好ましい。
【００１５】
本発明のルータにおける他の実施形態によれば、
アドレスは、ＩＰｖ６アドレスであって、アクセスネットワークを運用するインターネットサービスプロバイダ設備から割り当てられたものであり、
経路制御手段は、ＩＰｖ６パケットの経路を制御することも好ましい。
【００１６】
本発明によれば、第１のアクセスネットワークに接続する第１のＷＡＮインタフェースと、第２のアクセスネットワークに接続する第２のＷＡＮインタフェースと、複数のホスト端末が接続されたローカルネットワークに接続するＬＡＮインタフェースとを有するマルチホーム用のルータに搭載されたコンピュータを機能させるプログラムにおいて、
第１のアクセスネットワーク又は第２のアクセスネットワークと、ローカルネットワークとの間で、データパケットの経路を制御する経路制御手段と、
第１のアクセスネットワークから取得した第１のアドレス群と、第２のアクセスネットワークから取得した第２のアドレス群とを保持するアドレスプール手段と、
アクセスネットワークを切り替える際に、ローカルネットワークに接続されたホスト端末へ、ＤＨＣＰにおける再設定(RECONFIGURE)メッセージを送信する再設定送信手段と
してコンピュータを機能させることを特徴とする。
【００１７】
本発明によれば、第１のアクセスネットワークと、第２のアクセスネットワークと、ローカルネットワークと、当該ローカルネットワークに接続されるホスト端末と、複数のアクセスネットワーク及びローカルネットワークに相互接続されるルータとを有するシステムにおけるマルチホーム接続方法において、
ルータが、第１のアクセスネットワークから第１のアドレス群を取得すると共に、第２のアクセスネットワークから第２のアドレス群を取得する第１のステップと、
ルータが、第１のアクセスネットワーク又は第２のアクセスネットワークのいずれか一方と、ローカルネットワークとの間で、データパケットの経路を制御する第２のステップと、
ルータが、アクセスネットワークを切り替える際に、ローカルネットワークに接続されたホスト端末へ、ＤＨＣＰにおける再設定(RECONFIGURE)メッセージを送信する第３のステップと
を有することを特徴とする。
【発明の効果】
【００１８】
本発明のマルチホーム接続環境における経路切替方法、ルータ及びプログラムによれば、既存のホスト端末を用いて、マルチホーム接続のための機能をルータのみに実装することによって、極めて低コストでマルチホーム接続を提供する。
【図面の簡単な説明】
【００１９】
【図１】本発明におけるシステム構成図である。
【図２】本発明におけるシーケンス図である。
【図３】本発明におけるルータの機能構成図である。
【図４】本発明におけるアクセスネットワークの切り替えを表す説明図である。
【発明を実施するための形態】
【００２０】
以下、本発明の実施の形態について、図面を用いて詳細に説明する。
【００２１】
図１は、本発明におけるシステム構成図である。
【００２２】
図１よれば、マルチホームルータ１は、第１のアクセスネットワーク３Ａ及び第２のアクセスネットワーク３Ｂと、ＬＡＮ５との間に、相互接続されている。ＬＡＮ５には、複数のホスト端末２が接続されている。ホスト端末２は、マルチホームルータ１を介して、第１のアクセスネットワーク３Ａ又は第２のアクセスネットワーク３Ｂのいずれか一方を経由して、インターネット４に接続する。
【００２３】
アクセスネットワーク毎に、通信事業者のＩＳＰによって運用管理されている。また、アクセスネットワークは、アドレス管理装置を備えており、当該アクセスネットワークに接続可能なアドレスを、各ホスト端末へ割り当てることができる。ここで、アドレスは、ＩＰｖ６アドレスであって、アドレス管理装置は、インターネット上で唯一のＩＰｖ６アドレスの群を管理する。
【００２４】
本発明によれば、マルチホームルータ１は、ＤＨＣＰｖ６サーバ機能を有し、ホスト端末２は、ＤＨＣＰｖ６クライアント機能を有する。ＤＨＣＰとは、インターネットに一時的に接続するホスト端末に、ＩＰアドレス等の接続設定情報を自動的に割り当てるプロトコルをいう。ユーザは、ネットワーク設定を手動で設定する必要がなく、ネットワーク管理者は、複数のホスト端末のネットワーク設定を一元的に容易に管理することができる。ＤＨＣＰサーバ機能は、インターネットへ接続するホスト端末に対してＩＰアドレスを割り当てると共に、インターネットへの接続を切断したホスト端末に割り当てられていたＩＰアドレスを回収する。
【００２５】
図２は、本発明におけるシーケンス図である。
【００２６】
（Ｓ２００）最初に、マルチホームルータ１は、アクセスネットワークＡから第１のアドレス群を取得すると共に、アクセスネットワークＢから第２のアドレス群を取得する。マルチホームルータ１は、これらアドレス群をアクセスネットワーク毎に保持する。
【００２７】
（Ｓ２０１）マルチホームルータ１は、アクセスネットワークＡ及びアクセスネットワークＢに接続している。マルチホームルータ１は、最初に、アクセスネットワークＡを介してインターネットに通信しているとする。アクセスネットワークＢは、アクセスネットワークＡに対する予備回線として維持されている。
【００２８】
（Ｓ２０２）ここで、アクセスネットワークＡからアクセスネットワークＢへ切り替えるべくトリガが発生したとする。具体的な切替条件については、図４によって後述する。
【００２９】
（Ｓ２０３）マルチホームルータ１は、ＬＡＮに接続された全てのホスト端末２へ、再設定(DHCPv6-RECONFIGURE)メッセージを送信する。DHCPv6-RECONFIGUREはmsg-type=10であって、ＤＨＣＰサーバが、ＤＨＣＰクライアントへ、新規設定パラメータ又は更新パラメータがあることを通知するメッセージである。
【００３０】
（Ｓ２０４）再設定メッセージを受信した全てのホスト端末２は、要求(DHCPv6-REQUEST)メッセージを、マルチホームルータ１へ送信する。DHCPv6-REQUESTはmsg=3であって、ＤＨＣＰクライアントが、ＤＨＣＰサーバへ、ＩＰアドレスを含む接続設定パラメータを要求するメッセージである。
【００３１】
（Ｓ２０５）要求メッセージを受信したマルチホームルータ１は、切替先となるアクセスネットワークから取得されたアドレスを、アドレスプール部から取得する。図２によれば、例えばアクセスネットワークＡからアクセスネットワークＢへ切り替える場合、アクセスネットワークＢのアドレスを、アドレスプール部から取得する。そして、そのアドレスを含む応答(DHCPv6-REPLY)メッセージが、ホスト端末２へ送信される。
【００３２】
（Ｓ２０６）応答メッセージを受信したホスト端末２は、そのメッセージに含まれるアドレスを取得し、自らのアドレスとして用いる。そして、ホスト端末２は、確認(DHCPv6-CONFIRM)メッセージをマルチホームルータ１へ送信する。DHCPv6-CONFIRMはmsg=4であって、ＤＨＣＰクライアントが、ＤＨＣＰサーバへ、割り当てられたＩＰアドレスが適切であることを通知するためのメッセージである。
【００３３】
（Ｓ２０７）これによって、マルチホームルータ１は、アクセスネットワークＢを介してインターネットに接続することができる。
【００３４】
図３は、本発明におけるルータの機能構成図である。
【００３５】
図３によれば、マルチホームルータ１は、第１のＷＡＮインタフェース部１０１と、第２のＷＡＮインタフェース部１０２と、ＬＡＮインタフェース部１０３とを有する。第１のＷＡＮインタフェース部１０１は、第１のＩＳＰにおける第１のアクセスネットワークＡに接続する。また、第２のＷＡＮインタフェース部１０２は、第２のＩＳＰにおける第２のアクセスネットワークＢに接続する。更に、ＬＡＮインタフェース部１０３は、複数のホスト端末が接続するホームネットワークに接続する。
【００３６】
また、マルチホームルータ１は、経路制御部１１１と、アドレスプール部１１２と、切替トリガ検出部１１３と、ＤＨＣＰサーバ機能部１１４とを有する。これら機能構成部は、ルータに搭載されたコンピュータを機能させるプログラムを実行することによって実現される。
【００３７】
経路制御部１１１は、第１のアクセスネットワーク又は第２のアクセスネットワークと、ローカルネットワークとの間で、ＩＰｖ６パケットの経路を制御する。ルータにおける既存の経路制御を実行する。
【００３８】
アドレスプール部１１２は、第１のアクセスネットワークから取得した第１のアドレス群と、第２のアクセスネットワークから取得した第２のアドレス群とを保持する。
【００３９】
切替トリガ検出部１１３は、アクセスネットワークの切り替えトリガを検出し、アクセスネットワークを切り替える旨を、ＤＨＣＰサーバ機能部１１４の再設定送信部１１４１へ指示する。具体的な切替条件については、図４によって後述する。
【００４０】
ＤＨＣＰサーバ機能部１１４は、再設定送信部１１４１と、要求受信部１１４２と、応答送信部１１４３とを有する。
【００４１】
再設定送信部１１４１は、アクセスネットワークを切り替える際に、ＬＡＮインタフェース部１０３を介してホスト端末２へ、ＤＨＣＰにおける再設定(RECONFIGURE)メッセージを送信する。
【００４２】
要求受信部１１４２は、ホスト端末２からＬＡＮインタフェース部１０３を介して、要求(REQUEST)メッセージを受信する。
【００４３】
応答送信部１１４３は、ＬＡＮインタフェース部１０３を介してホスト端末２へ、アドレスプール部１１２に記憶された切替先となるアクセスネットワークから取得したアドレスを含む応答(REPLY)メッセージを返信する。
【００４４】
図４は、本発明におけるアクセスネットワークの切り替えを表す説明図である。
【００４５】
マルチホームルータ１の切替トリガ検出部１１３が、アクセスネットワークの切り替えのタイミングを検出する。経路制御部１１１におけるプロトコルは、例えばＢＧＰ(Border Gateway Protocol)である。ＢＧＰは、インターネット上で組織間の経路情報を交換する経路制御プロトコルである。ＢＧＰでは、経路を制御する組織毎に、インターネット上で唯一のＡＳ(Autonomous System)番号が割り当てられる。
【００４６】
ＢＧＰでは、一般に、複数の相手方ルータに対する経路について、選択されたいずれか１つの経路を、default-routeとして表す。default-routeは、ＬＰ(Local-Preference)値によって決定される。複数のアクセスネットワークに接続されているマルチホームルータは、アクセスネットワーク毎にＬＰ値を保持する。例えば、アクセスネットワークＡのＬＰ値=100であり、アクセスネットワークＢのＬＰ値=90である場合、アクセスネットワークＡが選択される。また、３つ以上のアクセスネットワークに接続している場合、これらＬＰ値の中で、最大のＬＰ値のアクセスネットワークが選択される。
【００４７】
切替トリガ検出部１１３は、アクセスネットワーク毎のＬＰ値の中で、最大のＬＰ値が変更された場合、その変更を検出し、ＤＨＣＰサーバ機能部１１４の再設定送信部１１４１へ指示する。これによって、最大のＬＰ値のアクセスネットワークが選択される。
【００４８】
また、切替トリガ検出部１１３は、複数のアクセスネットワークについて物理的又はプロトコル的な通信品質状態を検出するものであってもよい。これによって、ＢＧＰのＬＰ値を用いても又は用いていなくても、通信品質状態が劣化したアクセスネットワークを切り替えることができる。尚、ＢＧＰのＬＰ値を用いていない場合、default-routeの優先順位のメトリック値を、予め設定しておく必要がある。
【００４９】
例えば、ＢＧＰを用いていない場合、アクセスネットワークの故障検出として、物理的なインタフェース断、又は、ＰＰＰ(Point to Point Protocol)プロトコルの切断を検出するものであってもよい。更に、ＩＣＭＰ(Internet Control Message Protocol)をもちいたものであってもよい。ＩＣＭＰとは、ＩＰのエラーメッセージや制御メッセージを転送するプロトコルであって、ＴＣＰ／ＩＰで接続された装置間の状態を確認するために用いられる。ネットワーク診断には、pingが用いられる。
【００５０】
以上、詳細に説明したように、本発明のマルチホーム接続環境における経路切替方法、ルータ及びプログラムによれば、既存のホスト端末を用いて、マルチホーム接続のための機能をルータのみに実装することによって、極めて低コストでマルチホーム接続を提供することができる。マルチホーム接続環境は、アクセスネットワークにおける耐故障性を高めることができる。
【００５１】
本発明によれば、複数のＷＡＮと少なくとも１つのＬＡＮとの間に接続されるルータにおける一部の機能のみを更新することによって、ホスト端末は、既存の機能のままであって、ソフトウエアの変更及び追加インストールが不要となる。また、マルチホームルータがアクセスネットワークの通信品質状態を監視することによって、マルチホームルータが、アクセスネットワークを自らの判断で切り替えることができる。
【００５２】
前述した本発明の種々の実施形態について、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【符号の説明】
【００５３】
１  マルチホームルータ
１０１  第１のＷＡＮインタフェース部
１０２  第２のＷＡＮインタフェース部
１０３  ＬＡＮインタフェース部
１１１  経路制御部
１１２  アドレスプール部
１１３  切替トリガ検出部
１１４  ＤＨＣＰサーバ機能部
１１４１  再設定送信部
１１４２  要求受信部
１１４３  応答送信部
２  ホスト端末
３Ａ  アクセスネットワークＡ、第１のアクセスネットワーク
３Ｂ  アクセスネットワークＢ、第２のアクセスネットワーク
４  インターネット
【図１】
2011120083.tif 000003
【図２】
2011120083.tif 000004
【図３】
2011120083.tif 000005
【図４】
2011120083.tif 000006